(57)【要約】      （修正有）【課題】ボックスに設けた開閉蓋の開放に伴いペーパー押し出し部が規定位置へと戻る機構を備えることで、ペーパーの取り出しやすさを向上させながらペーパーの補充が容易で使い勝手のよいペーパーボックスを提供する。【解決手段】内部にペーパーを収納し、その収納されたペーパーの取出しを行うための取出し口７と、ペーパーの補充時に開閉可能な開閉蓋と、収納されたペーパーを押圧し、その減少に伴い前記取出し口側へ移動可能なペーパー押さえ部と、を備えたペーパーボックス１において、前記取出し口７方向に前記ペーパー押さえ部を付勢する付勢手段と、前記開閉蓋を開放したときに前記ペーパー押さえ部が前記付勢手段の付勢に抗して前記取出し口７と対向する面側へ移動するように、前記開閉蓋と前記ペーパー押さえ部を連結しているリンク機構と、を設ける。【選択図】図１
2011073716.tif 000002
【特許請求の範囲】
【請求項１】
内部にペーパーを収納し、その収納されたペーパーの取出しを行うための取出し口と、ペーパーの補充時に開閉可能な開閉蓋と、収納されたペーパーを押圧し、その減少に伴い前記取出し口側へ移動可能なペーパー押さえ部と、を備えたペーパーボックスにおいて、
前記取出し口方向に前記ペーパー押さえ部を付勢する付勢手段と、前記開閉蓋を開放したときに前記ペーパー押さえ部が前記付勢手段の付勢に抗して前記取出し口と対向する面側へ移動するように、前記開閉蓋と前記ペーパー押さえ部を連結しているリンク機構と、を設けたことを特徴とするペーパーボックス。  
【請求項２】
前記ペーパーボックスには、前記ペーパー押さえ部の取り出し口側への移動距離をもとに残量表示部が移動してペーパー残量を表示する残量表示機構が設けられており、前記残量表示部は前記ペーパーボックスの一面に設けられていることを特徴とする請求項１に記載のペーパーボックス。
【請求項３】
前記開閉蓋は前記ペーパーボックスの下端に回動自在に支持され、前記開閉蓋の内側の面には、その回動軸に沿って突出したストッパー部が設けられており、前記開閉蓋の内側の面に積層型ペーパーを載置したときに、前記ストッパー部により前記開閉蓋の回動に伴う前記積層型ペーパーの移動を規制することを特徴とする請求項１又は２に記載のペーパーボックス。
【請求項４】
前記ペーパー押さえ部には、前記開閉蓋を閉じるときに前記ストッパー部と干渉しない切り欠きが設けられていることを特徴とする請求項３に記載のペーパーボックス。
【発明の詳細な説明】
【技術分野】
【０００１】
本発明は、複数枚のペーパーが積層されてなる積層型ペーパーのペーパーボックスに関する発明である。 
【背景技術】
【０００２】
近年、トイレ空間で使用されるペーパーにおいても、片手で簡単に必要な量のペーパーを取り出すことができる積層型ペーパーが存在しているが、積層型ペーパーボックスは、ペーパーの残量が減ってくるとボックス底面にペーパーが落ち込み取出しづらいものとなっていた。
この課題を解決するため、積層型ペーパーのボックス底面をペーパーの使用に伴い上昇させ、積層型ペーパーと取出し口との間の距離を一定に保つものがある（例えば特許文献１）。
【先行技術文献】
【特許文献】
【０００３】
【特許文献１】特開２００３−３２７２８１号公報
【発明の概要】
【発明が解決しようとする課題】
【０００４】
しかしながら、特許文献１では、積層型ペーパーの使用後にペーパーを補充する際、ボックス底面板は取出し口付近まで上昇しており、上昇したボックス底面板を一度既定位置（底面部に接する位置）まで戻した後にペーパーをセットすることとなり使い勝手のよいものではなかった。
【０００５】
本発明は、上記問題を解決するためになされたもので、箱体に設けた開閉蓋の開放に伴いペーパー押し出し部が既定位置へと戻る機構を備えることで、ペーパーの取り出しやすさを向上させながらペーパーの補充が容易で使い勝手のよいペーパーボックスを提供することを目的とする。
【課題を解決するための手段】
【０００６】
上記目的を達成するために請求項１記載のペーパーボックスでは、内部にペーパーを収納し、その収納されたペーパーの取出しを行うための取出し口と、ペーパーの補充時に開閉可能な開閉蓋と、収納されたペーパーを押圧し、その減少に伴い前記取出し口側へ移動可能なペーパー押さえ部と、を備えたペーパーボックスにおいて、前記取出し口方向に前記ペーパー押さえ部を付勢する付勢手段と、前記開閉蓋を開放したときに前記ペーパー押さえ部が前記付勢手段の付勢に抗して前記取出し口と対向する面側へ移動するように、前記開閉蓋と前記ペーパー押さえ部を連結しているリンク機構と、を設けたことを特徴とする。
【０００７】
本発明によれば、ペーパーの取出しによるペーパー残量の減少に伴い、付勢手段の付勢力によりペーパー押さえ部が取出し口側へ移動するので、取出し口の設置位置に関わらずペーパーの落ち込みを防ぎ、ペーパーと開口との距離が常に一定に保たれることで、ペーパーの取出しが行いやすいものとなり、しかも、ペーパーを使い切って補充する際に開閉蓋を開放すると、開閉蓋とペーパー押さえ部とを連結したリンク機構により、取り出し口側へ移動したペーパー押さえ部が、付勢手段の付勢に抗して取り出し口側とは反対側へ移動するので、ペーパー補充の際にペーパー押さえ部が邪魔にならずセットが容易となる。
【０００８】
前記ペーパーボックスには、前記ペーパー押さえ部の取り出し口側への移動距離をもとに残量表示部が移動してペーパー残量を表示する残量表示機構が設けられており、前記残量表示部は前記ペーパーボックスの一面に設けられていることを特徴とする。
【０００９】
請求項２の発明によれば、ペーパー押さえ部と連動した残量表示機構を設けることにより、従来のペーパーボックスに表示窓を設けて直接残量を確認する方法では、ペーパーの載置方法によって残量表示部の位置が制限されてしまうのに対して、ペーパーの減少量に応じて移動したペーパー押さえ部の移動距離を変換し、間接的にペーパー残量を表示することができるので、ペーパーの取り出し口と残量表示部をそれぞれ任意の面とすることができ、残量表示部を確認しやすい面に設けることができる。
【００１０】
前記開閉蓋は前記ペーパーボックスの下端に回動自在に支持され、前記開閉蓋の内側の面には、その回動軸に沿って突出したストッパー部が設けられており、前記開閉蓋の内側の面に積層型ペーパーを載置したときに、前記ストッパー部により前記開閉蓋の回動に伴う前記積層型ペーパーの移動を規制することを特徴とする。
【００１１】
請求項３の発明によれば、開閉蓋の内側面に開閉蓋の回動軸に沿って突出したストッパー部を設けることで、開状態の開閉蓋に積層型ペーパーを載置し、ストッパー部で積層型ペーパーの位置を規制するので、積層型ペーパーをペーパーボックスへ容易にセットすることができる。
さらに積層型ペーパーをセットする際に開閉蓋を閉じるとストッパー部が積層型ペーパーの位置を規制しながら回転し、同時にペーパー押さえ部が取り出し口側へ移動して積層型ペーパーを挟み込むように作用するので開閉蓋を閉じる最中においても積層型ペーパーの位置が規制されてセットしやすく使い勝手がよい。
【００１２】
前記ペーパー押さえ部には、前記開閉蓋を閉じるときに前記ストッパー部と干渉しない切り欠きが設けられていることを特徴とする。
【００１３】
請求項４の発明によれば、ペーパー押さえ部とストッパー部が干渉しない切り欠きを設けることで、開閉蓋を閉じる際にストッパー部とペーパー押さえ部が干渉しないため、スムーズな開閉動作を行うことができペーパー補充の際の使い勝手がさらに容易になる。また、切り欠きが無い場合と比較してストッパー部を長く構成することができるので、積層型ペーパーとストッパー部との接触面積が広くなり積層型ペーパー３がさらに載置しやすくなる。
【発明の効果】
【００１４】
本発明に関わるペーパーボックスによれば、ペーパーボックスに設けた開閉蓋の開放に伴いペーパー押さえ部が既定位置へと戻る機構を備えることで、ペーパーの補充の際にペーパー押さえ部が邪魔にならず、ペーパーのボックスへの落ち込みを防ぎながらペーパーの補充が容易で使い勝手がよい。  
【図面の簡単な説明】
【００１５】
【図１】開閉蓋が閉状態であるペーパーボックスの斜視図である。
【図２】開閉蓋が開状態であるペーパーボックスの斜視図である。
【図３】図１にペーパーをセットした状態を示す斜視図である。
【図４】図２の開閉蓋に積層型ペーパーを載置した状態を示す斜視図である。
【図５】開閉蓋の開閉機構を示すスライダ収納部の図１におけるＡ−Ａ断面図である。（ａ）は開閉蓋閉状態、（ｂ）は開閉蓋を半分開放した状態、（ｃ）は開閉蓋開放状態をそれぞれ示す。
【図６】図１におけるＢ−Ｂ断面図である。
【図７】図１におけるＣ−Ｃ断面図である。
【図８】残量表示機構を示す図１におけるＤ−Ｄ断面図である。（ａ）はペーパーが十分な状態、（ｂ）はペーパーが半分以下の状態、（ｃ）はペーパーが無い状態の残量表示機構をそれぞれ示す。
【図９】図３におけるＥ−Ｅ断面図であり、図７に積層型ペーパーをセットした状態を示す図である。
【図１０】図３におけるＦ−Ｆ断面図であり、図９の箱体側面内部ケーシングからの断面図である。
【図１１】ストッパー部とペーパー押さえ部の開口を示した図である。
【図１２】図４におけるＧ−Ｇ断面図であり、開閉蓋に積層型ペーパーを載置してペーパーボックスにセットする様子を示した箱体側面内部ケーシングからの断面図である。
【図１３】開閉蓋がペーパーボックスの側面にある変形例を示した天井面からの断面図である。
【図１４】開閉蓋がペーパーボックスの天井面にある変形例を示したスライダ収納部の断面図である。
【発明を実施するための形態】
【００１６】
以下、本発明の具体的な実施例に基づいてその使用方法を説明する。
【実施例】
【００１７】
本発明のペーパーボックスの基本構成について図を用いて説明する。図１は、本発明のペーパーボックスの開閉蓋が閉状態を、図２は開閉蓋が開状態を示す斜視図である。また、図３、４はそれぞれ図１、図２に積層型のペーパーを載置した斜視図である。ペーパーボックス１の本体を形成する箱体２は、積層型ペーパー３を載置する載置面４と、箱体２の開口面を形成する縁部の載置面４側の中央側には、軸部５が設けられており、箱体２を回動可能に開閉するために開閉蓋６が、軸部５の両端に設けられた凸部と係合するように設けられた凹部（図示せず）で軸支されている。開閉蓋６には積層型ペーパー３を取り出すための取出し口７と、取出し口７の上端部、下端部には、それぞれ積層型ペーパー３を挟持するゴム部材８が設けられている。
【００１８】
また、開閉蓋６の箱体内側の面の載置面４寄りには、積層型ペーパー３をセットする際に積層型ペーパー３の位置を規制するために凸片として形成されたストッパー部９が設けられていてもよい。また、載置面４側と対向する箱体２の一面である天井面１０側の縁部と開閉蓋６の天井面１０側には、それぞれ箱体２の閉状態を保持するマグネット、ラッチ機構等で形成された開閉蓋保持部１１が設けられている。
【００１９】
次に、ペーパーボックス１の開閉機構の構成について説明する。
図５は、スライダ収納部図１におけるＡ−Ａ断面図である。図５（ａ）は開閉蓋６が閉状態、図５（ｂ）は開閉蓋６が約半分開放した状態、そして、図５（ｃ）は開閉蓋６が全開放した状態をそれぞれ示している。図６は図１におけるＢ−Ｂ断面図である。そして、図７は、図１におけるＣ−Ｃ断面図であり、ペーパーボックス１を天井面１０からみた断面図である。
箱体２の側面ケーシングの内側には、立壁によって区切られて形成されたスライダ収納部１２が設けられている。スライダ収納部１２には、開閉蓋６の両側端に開閉蓋６を開放する際の軸部５の回転を伝える歯車１３ａが収納されており、その歯車１３ａの中心の開口に軸部５が貫通するように設けられている。さらに、歯車１３ａと噛み合う歯車１３ｂを先端に備えた扁平長板状のバー１４は、その他端に、接続部材１５が設けられている。歯車１３ｂには、歯車１３ａと同様に中心の開口にバー１４を軸支する支持部材１６が設けられ、支持部材１６により、バー１４は、箱体２と固定されている。
さらに、接続部材１５は、図５（ａ）に示すような略方形中空で形成されているスライダ１７によって覆われており、スライダ１７の中空部分によって、接続部材１５が図５（ｂ）から図５（ｃ）へ移動したときに、その回転移動を規制し載置面４と天井面１０との上下移動のみを許容するようにして保持されている。
このようにして、開閉蓋の回動に伴いペーパー押さえ部が移動するリンク機構が構成されている。
【００２０】
次に、ペーパー押し出し機構の構成について説明する。
ペーパー押さえ部１８は、箱体２の内側側面の上下に設けられたレール状の側面溝１９を凸部２２ａｂが貫通し、側面溝１９を前後に移動可能でスライダ１７よりも常に箱体２の奥側となるように構成されている。
さらに、箱体２の側面であってスライダ収納部１２の内側には、箱体２の側面内部ケーシングとスライダ収納部１２とで区切られた弾性部材収納部２０が設けられており、その弾性部材収納部２０内には、弾性部材としてのバネ部材２１が、一端はペーパー押さえ部１８の凸部２２ａと、他端は箱体２の取出し口７側にペーパー押さえ部１８を開閉蓋６側に付勢するようにして設けられている。なお、側面溝１９は、スライダ収納部１２を構成する立壁にも設けられており、ペーパー押さえ部１８の凸部２２ａｂが貫通する構成となっている。なお、ペーパー押え部１８は、凸部２２ａ、２２ｂの一方のみが貫通するように構成することもできる。
また、扁平形状のストッパー部９を略平面で形成されている開閉蓋６の箱体２側で、開閉蓋６と直角となり、開閉蓋６を閉じたときに載置面４と当接するように設けた場合、ストッパー部９とペーパー押さえ部１８が干渉しないように少なくともストッパー部９の面積に相当する切り欠き２３を設けることで開閉蓋６のストッパー部９が無い場合と変わらない開閉動作を実現できる。ストッパー部９の形状としては、開閉蓋６が開状態での直角方向の高さが積層型ペーパー３の積層高さと同程度であり、取出し口７と同程度の幅を持たせることで積層型ペーパー３をセットするときにセットしやすいものとなる。
また、ストッパー部９は開閉蓋６を閉じたときに載置面４と当接する位置に設けられているので、ストッパー部９が無い場合とほぼ同量の積層型ペーパーをセットできる。すなわち、ストッパー部９が無い場合と比較しても天井面１０とストッパー部９とに挟まれて積層型ペーパー３が変形してセットされるようなことがなく積層型ペーパー３が取り出しにくいといった不具合もない。
【００２１】
次に、ペーパーボックス１の残量表示機構を説明する。
図８は、残量表示機構を示す図１におけるＤ−Ｄ断面図であり、積層型ペーパー３が十分にセットされている状態を図８（ａ）、ペーパーが減少した状態を図８（ｂ）、ペーパーが無くなった状態を図８（ｃ）がそれぞれ示している。この残量表示機構は、図７に示すように、箱体２内であって、スライダ収納部１２のさらに側方には、スライダ収納部１２の立壁と本体側面外部ケーシングとによって形成された残量表示機構収納部２４に収納されている。残量表示機構収納部２４には、扁平長板状のバー２５の一端が上部凸部２２ａと接続しており、ペーパー押さえ部１８が箱体２の奥側から取出し口７側へ移動するのに伴って移動するようになっている。バー２５の他端には、接続部材２６が軸支されており、開閉蓋６の開閉に伴うリンク機構と同様のリンク機構となっている。接続部材２６の先端には、残量表示部２７が設けられており、箱体２は、残量表示部２７が使用者に見えるよう上下に開口した表示窓２８が設けられている。また、接続部材２６は箱体２内の本体ケーシングの一部で両側を挟まれるように構成されているため、残量表示部２７は、この表示窓２８の開口面を通して常に表示されるように固定されている。
【００２２】
そして、ペーパー押さえ部１８が取出し口７側へ移動すると、上部凸部２２ａと連結しているバー２５も合わせて取出し口７側へ移動する。その移動距離に応じて接続部材２６、残量表示部２７が連結しているバー２５の他端は、箱体２の天井面１０側から載置面４側へ移動する。この移動に伴い、残量表示部２７も載置面４側へ移動することとなる。
なお、ここでは上部凸部２２ａと接続したリンク機構による残量表示を説明したが、下部凸部２２ｂと接続させることで箱体２の天井面１０に残量表示機構を設けることもできる。
【００２３】
以下に、本発明のペーパーボックスの第１実施例の開閉動作について、積層型ペーパーの取り出し及び補充をもとに説明する。
【００２４】
図３は、ペーパーボックス１に積層型ペーパー３が十分にセットされた状態を示す斜視図であり、図９ａは、図３におけるＥ−Ｅ断面図であり、ペーパーボックス１に積層型ペーパー３を十分にセットした状態を示している。ペーパー押さえ部１８には開閉蓋６側へ付勢しているバネ部材２１が設けられているので、積層型ペーパー３は、ペーパー押さえ部１８により開閉蓋６側へ押圧され、開閉蓋６と積層型ペーパー３、ペーパー押さえ部１８とは隙間のない状態となっている。使用者が積層型ペーパー３を取出し口７から引き出して使用することにより、積層型ペーパー３が減少すると、バネ部材２１の付勢力によりペーパー押さえ部１８は、積層型ペーパー３の減少に合わせて開閉蓋６側へ移動し図９ｂ及び図１０のような状態になる。このようにペーパー押さえ部１８が移動することで、積層型ペーパー３が減少しても、取出し口７とペーパー押さえ部１８は常に隙間の無い状態を維持することができるので、積層型ペーパー３が箱体２内に落ち込むことが無く常に積層型ペーパー３を取り出しやすい。
【００２５】
図３の状態で、積層型ペーパー３が取出し口７から引き出されることによりペーパー押さえ部１８が取出し口７側へ移動すると、ペーパー押さえ部１８の上部凸部２２ａと接続しているバー２５の端部が取出し口７側へ移動し、他端の残量表示部２７は、載置面４側へ図８ｂのように移動し、積層型ペーパー３の減少に伴いペーパーが無くなると、残量表示部２７が載置面４側へさらに近づき図８ｃの状態となる。
このようにして、本発明のペーパーボックス１の使用者は、ペーパーの減少度合いを残量表示部２７の位置により目視することができる。さらに、残量表示窓２８には残量を表す目盛りや、残量表示部２７が特定の位置になったときに取換え時期を指し示すような表示を行っても良い。
【００２６】
図７は、箱体２を上面からみた断面図でありペーパーが収納されておらず、開閉蓋６が閉状態のものである。積層型ペーパー３を使い切ると図７の状態となり、ペーパー押さえ部１８は開閉蓋６側に付勢しているバネ部材２１により、開閉蓋６側に移動した状態となっている。また、図５ａに示すようにバー１４は、載置面４から直角方向に立ち上がった状態となっており、接続部材１５は、箱体２の天井面１０側に位置し、スライダ１７は、箱体２の取り出し口側に位置している。
【００２７】
この閉状態から積層型ペーパー３を補充するために箱体２の軸部５によって軸支されている開閉蓋６の天井面１０側を開閉蓋保持部１１及びバネ部材２１の閉方向への力に抗して引っ張ると、開閉蓋６は、軸部５を中心に開閉蓋６を開放する方向に回動する。このときの回動距離に応じて歯車１３ａと噛み合っている歯車１３ｂに箱体２の奥側へ回動する力が働く。バー１４と接続している接続部材１５は、略中空方形のスライダ１７によって前後方向の位置を規制されているため、接続部材１５は、スライダ１７を箱体２の奥側へ押しながらバー１４の回動に合わせ載置面４側へ移動する。
ペーパー押さえ部１８は、スライダ１７に押されることにより箱体２の奥側へ移動する力が働く。ペーパー押さえ部１８は、箱体２の内側側面に設けられている側面溝１９を移動可能であるため、開閉蓋６は、ペーパー押さえ部１８を押す力がバネ部材２１による付勢力よりも大きくなると、スライダ１７がペーパー押さえ部１８を箱体２の奥側へ押しながら回動し図５ｂのようになる。
【００２８】
さらに、開閉蓋６を回動させると、図５ｃに示すように開閉蓋６の下端が箱体２の開口面の下縁部に当接することにより開放位置が規制されて箱体２が開放される。なお、開閉蓋６が全開状態で固定されるよう軸部５に保持構造が備わっており、箱体２は開放状態を維持した状態とすることができる。
このようにして箱体２の開放に伴いペーパー押さえ部１８が箱体２の奥側へ移動するので、ペーパー押さえ部１８がバネ部材２１等の弾性部材によりペーパーを押圧したペーパーの補充の際にペーパー押さえ部１８が邪魔にならず、手でペーパー押さえ部１８を押し戻す必要もないためセットが容易となる。
【００２９】
また、箱体２が開放状態のときに閉状態となるように開閉蓋６を箱体２の奥側へ回動させると、バネ部材２１の付勢力により、ペーパー押さえ部１８は取出し口７側へ移動する。また、軸部５の回動に伴い、歯車１３ａ、１２ｂへ力が伝わり、バー１４の接続部材１５側が箱体２の天井面１０側へ来るようにスライダ１７を引っ張りながら移動する。
開閉蓋６の上端が箱体２の開口面上縁部と当接すると開閉蓋６と箱体２にそれぞれ設けられた開閉蓋保持部１１により箱体２を閉状態から開状態へ自然に回動することを防ぐことができる。
【００３０】
さらに、開閉蓋６にストッパー部９が設けられている場合においても、図１１に示すようにペーパー押さえ部１８にストッパー部９が通過可能な切り欠き２３を設けることで、ストッパー部９がペーパー押え部１８と干渉することが無いので、ストッパー部９が無い場合と同様に開閉蓋６の回動により箱体２を開閉することができる。また、切り欠き２３が無い場合と比較してストッパー部９を長く構成することができるので、積層型ペーパー３とストッパー部９との接触面積が広くなり積層型ペーパー３がさらに載置しやすくなる。加えて、ペーパー押さえ部１８の切り欠き２３以外は押さえ面として構成することができるので、切り欠き２３を設けた場合でも積層型ペーパー３に接触するペーパー押さえ部１８の接触面積を有効に確保することができ、積層型ペーパー３の押し出しやすさは損なわれない。
【００３１】
次に、積層型ペーパー３を補充する場合について説明する。
図１２は開閉蓋６に積層型ペーパー３を載置してセットするときの動作を示した図４におけるＧ−Ｇ断面図である。開放した箱体２に図４及び図１２ａのように積層型ペーパー３を開閉蓋６の裏面に載置する。このときストッパー部９があると積層型ペーパー３の位置がずれにくくセットしやすい。積層型ペーパー３を開閉蓋６に載置した状態で開閉蓋６を箱体２の奥側へ回動させると、積層型ペーパー３が無い状態と同様に開閉蓋６の回動に伴いペーパー押さえ部１８が開閉蓋６側へ移動し図１２ｂのようになるが、所定の回動位置で開閉蓋６に載置された積層型ペーパー３がペーパー押さえ部１８と面接触することで、積層型ペーパー３がバネ部材２１の付勢力に抗してペーパー押さえ部１８を箱体２の奥側へ押し込むように作用する。
さらに開閉蓋６を押し開閉蓋６を図１２ｃの閉状態としたときに、積層型ペーパー３の厚さａは、バネ部材２１による付勢力と使用者の開閉蓋６の押し込みによるペーパー押さえ部１８を押す力に挟まれて積層による空隙が減少した厚さｂとなっている。開閉蓋６は、図７のペーパーの無い状態と比較して図１２ｃでは積層型ペーパー３の厚さｂ分だけかさ高くなっていることになるので、この厚さｂ分だけペーパー押さえ部１８を箱体２側へ押し込んだ状態となる。
このようにして、積層型ペーパー３が箱体２に補充され図１２ｃの積層型ペーパー３が載置された状態となる。
【００３２】
次に、本発明の変形例について説明する。
本発明の変形例の基本構成は第１の実施例と同様であるが、図１３に示すように、開閉蓋２９が箱体３０の側面に設けられ、開閉蓋２９は箱体３０の奥側と軸部３１で回動可能に軸支されており、開閉蓋２９の箱体３０の天井面側端部には、歯車３２ａが設けられている。そして、第１の実施例と同様に歯車３２ａと噛み合う歯車３２ｂを先端に備えた扁平長板状のバー３３が、箱体３０の奥側から側面へ回動可能に設けられている。バー３３の他端には、実施例１と同様に設けられたスライダ３４と接続する接続部材３５が設けられている。
接続部材３５は、開閉蓋２９の回動に伴い歯車３２ａ、３２ｂを介してバー３３が回動することによりスライダ３４の開閉蓋２９側から開閉蓋２９と対向する側へ移動しながらスライダ３４を箱体３０の取出し口側から奥側へ移動させるリンク機構となっている。ペーパー押さえ部３６についても、実施例１と同様に、ペーパー取出し口側へ付勢しているバネ部材３７が接続されている。
また、残量表示機構も第１の実施例と同様にペーパー押さえ部３６の側方に形成された凸部３８ａにバー３９が接続し、さらにその他端には残量表示部４０を備えた接続部材４１が設けられており、残量表示部４０を確認できるように箱体３０内に開口した表示窓４２がある。さらに、この変形例の場合は、スライダ３４は箱体３０内の天井面側にあるため収納部は無いが、バネ部材３７と残量表示機構は、実施例１と同様に弾性部材収納部４３、残量表示機構収納部４４として箱体３０の内部ケーシング側方にそれぞれ設けられている。
【００３３】
さらに、開閉蓋２９の位置は図１４に示す通り、開閉蓋２９が箱体３０の天井面となるように設けてもよく、リンク機構等により開閉蓋２９の開放時の回動に連動して取出し口方向に付勢されているペーパー押さえ部３６を押す構造とし、ペーパー押さえ部３６は積層型ペーパー４５の減少に伴い付勢部材の付勢力により独立して取出し口側へ移動する構成ならば開閉蓋の位置に関わらず適宜構成することができる。
【００３４】
なお、これら変形例において、ストッパー部を設けた場合にペーパー押さえ部に設ける開口についても、ペーパー押さえ部にそれぞれ開閉蓋の開閉蓋方向からストッパー部の面積に相当する切り欠きを設けることで（図示なし）、第１の実施例と何ら変わらずに作用する。
【００３５】
このように、本発明において開閉蓋の位置が変わっても箱体の取出し口とペーパー押さえ部は常に対向する関係となるため、ペーパーボックスの設置条件や使用用途に合わせてペーパーの落ち込みを防止しながら補充が容易で使い勝手のよいペーパーボックスとすることができる。
【００３６】
以上、本発明のペーパーボックスにセットするペーパーとして積層型ペーパーを用いて説明してきたが、本発明のペーパーボックスにセットするペーパーは、積層型ペーパーに限定されずロール型のペーパーを用いることについても何ら問題は無い。
【符号の説明】
【００３７】
１…            ペーパーボックス
２…            箱体
３…           積層型ペーパー
４…            載置面
５…           軸部
６…            開閉蓋
７…           取出し口
８…            ゴム部材
９…            ストッパー部
１０…         天井面
１１…         開閉蓋保持部
１２…         スライダ収納部
１３ａ…       歯車
１３ｂ…       歯車
１４…         バー
１５…            接続部材
１６…         支持部材
１７…            スライダ
１８…            ペーパー押さえ部
１９…         側面溝
２０…         弾性部材収納部
２１…         バネ部材
２２ａ…          上部凸部
２２ｂ…       下部凸部
２３…         切り欠き
２４…         残量表示機構収納部
２５…         バー
２６…         接続部材
２７…         残量表示部
２８…         表示窓
２９…         開閉蓋
３０…         箱体
３１…         軸部
３２ａ…       歯車
３２ｂ…       歯車
３３…         バー
３４…         スライダ
３５…         接続部材
３６…         ペーパー押さえ部
３７…         バネ部材
３８ａ…       凸部
３９…         バー
４０…         残量表示部
４１…         接続部材
４２…         表示窓
４３…         弾性部材収納部
４４…         残量表示機構収納部
４５…         積層型ペーパー
【図１１】
2011073716.tif 000003
【図１】
2011073716.tif 000004
【図２】
2011073716.tif 000005
【図３】
2011073716.tif 000006
【図４】
2011073716.tif 000007
【図５】
2011073716.tif 000008
【図６】
2011073716.tif 000009
【図７】
2011073716.tif 000010
【図８】
2011073716.tif 000011
【図９】
2011073716.tif 000012
【図１０】
2011073716.tif 000013
【図１２】
2011073716.tif 000014
【図１３】
2011073716.tif 000015
【図１４】
2011073716.tif 000016